(57)【要約】【課題】柔軟な運用形態を取ることができる「Ｍａｃｒｏ-ａｓｓｉｓｔｅｄセル」を実現する。【解決手段】本発明に係る移動局ＵＥは、制御部２２は、「Ｄｉｓｃｏｖｅｒｙ  ｓｉｇｎａｌ」の系列が「Ｓｔａｎｄ-ａｌｏｎｅセル」用の系列であると判定した場合には、スモールセルにおけるＭＩＢ/ＳＩＢに基づいて、かかるスモールセルにおける通信を開始するように構成されており、制御部２２は、「Ｄｉｓｃｏｖｅｒｙ  ｓｉｇｎａｌ」の系列が「Ｍａｃｒｏ-ａｓｓｉｓｔｅｄセル」用の系列であると判定した場合には、マクロセルからの制御信号に基づいて、かかるスモールセルにおける通信を開始するように構成されている【選択図】図６
2014027551.tif 000002
【特許請求の範囲】
【請求項１】
マクロセルとスモールセルとを具備する移動通信システムで用いられ得る移動局であって、
前記スモールセルが、該マクロセルと独立して運用可能な第１セル、又は、該マクロセルと独立して運用不可能な第２セルである場合に、
前記スモールセルによって送信されている所定信号を検出するように構成されている受信部と、
前記所定信号の系列が前記第１セル用の系列であるか或いは前記第２セル用の系列であるかについて判定するように構成されている制御部とを具備しており、
前記制御部は、前記所定信号の系列が前記第１セル用の系列であると判定した場合には、前記スモールセルにおける報知情報に基づいて、該スモールセルにおける通信を開始するように構成されており、
前記制御部は、前記所定信号の系列が前記第２セル用の系列であると判定した場合には、前記マクロセルからの制御信号に基づいて、前記スモールセルにおける通信を開始するように構成されていることを特徴とする移動局。
【請求項２】
マクロセルとスモールセルとを具備する移動通信システムで用いられ得る移動局であって、
前記スモールセルが、該マクロセルと独立して運用可能な第１セル、又は、該マクロセルと独立して運用不可能な第２セルである場合に、
前記スモールセルによって送信されている同期信号を検出するように構成されている受信部と、
前記同期信号の系列が前記第１セル用の系列であるか或いは前記第２セル用の系列であるかについて判定するように構成されている制御部とを具備しており、
前記制御部は、前記同期信号の系列が前記第１セル用の系列であると判定した場合には、前記スモールセルにおける報知情報に基づいて、該スモールセルにおける通信を開始するように構成されており、
前記制御部は、前記同期信号の系列が前記第２セル用の系列であると判定した場合には、前記マクロセルからの制御信号に基づいて、前記スモールセルにおける通信を開始するように構成されていることを特徴とする移動局。
【請求項３】
マクロセルとスモールセルとを具備する移動通信システムで用いられ得る移動局であって、
前記スモールセルが、該マクロセルと独立して運用可能な第１セル、又は、該マクロセルと独立して運用不可能な第２セルである場合に、
前記スモールセルによって送信されている同期信号を検出した後、該同期信号のサブフレームと同一或いは周辺のサブフレームで送信されている所定信号を受信するように構成されている受信部と、
前記所定信号による通知内容に基づいて、前記スモールセルが前記第１セルであるか或いは前記第２セルであるかについて判定するように構成されている制御部とを具備しており、
前記制御部は、前記スモールセルが前記第１セルであると判定した場合には、該スモールセルにおける報知情報に基づいて、該スモールセルにおける通信を開始するように構成されており、
前記制御部は、前記スモールセルが前記第２セルであると判定した場合には、前記マクロセルからの制御信号に基づいて、該スモールセルにおける通信を開始するように構成されていることを特徴とする移動局。
【請求項４】
マクロセルとスモールセルとを具備する移動通信システムで用いられ得る移動局であって、
前記スモールセルが、該マクロセルと独立して運用可能な第１セル、又は、該マクロセルと独立して運用不可能な第２セルである場合に、
前記スモールセルによって送信されている同期信号を検出した後、所定信号を受信するように構成されている受信部と、
前記所定信号の系列が前記第１セル用の系列であるか或いは前記第２セル用の系列であるかについて判定するように構成されている制御部とを具備しており、
前記制御部は、前記所定信号の系列が前記第１セル用の系列であると判定した場合には、前記スモールセルにおける報知情報に基づいて、該スモールセルにおける通信を開始するように構成されており、
前記制御部は、前記所定信号の系列が前記第２セル用の系列であると判定した場合には、前記マクロセルからの制御信号に基づいて、前記スモールセルにおける通信を開始するように構成されていることを特徴とする移動局。
【請求項５】
マクロセルとスモールセルとを具備する移動通信システムで用いられ得る移動局であって、
前記スモールセルが、該マクロセルと独立して運用可能な第１セル、又は、該マクロセルと独立して運用不可能な第２セルである場合に、
前記スモールセルによって送信されている報知情報を受信するように構成されている受信部と、
前記報知情報による通知内容に基づいて、前記スモールセルが前記第１セルであるか或いは前記第２セルであるかについて判定するように構成されている制御部とを具備しており、
前記制御部は、前記スモールセルが前記第１セルであると判定した場合には、該スモールセルにおける残りの報知情報に基づいて、該スモールセルにおける通信を開始するように構成されており、
前記制御部は、前記スモールセルが前記第２セルであると判定した場合には、前記マクロセルからの制御信号に基づいて、該スモールセルにおける通信を開始するように構成されていることを特徴とする移動局。
【請求項６】
マクロセルとスモールセルとを具備する移動通信システムで用いられ得る移動局であって、
前記スモールセルが、該マクロセルと独立して運用可能な第１セル、又は、該マクロセルと独立して運用不可能な第２セルである場合に、
前記マクロセルにおいて、特定の報知情報によって、セル再選択のためのキャリアが前記第１セルのみが存在するキャリアであると通知されているか否かについて判定するように構成されている制御部を具備しており、
前記制御部は、前記特定の報知情報によって、前記セル再選択のためのキャリアが前記第１セルのみが存在するキャリアであると通知されていると判定した場合には、該キャリアにおけるセルにセル再選択を行った後、該セルにおける報知情報に基づいて、該セルにおける通信を開始するように構成されており、
前記制御部は、前記特定の報知情報によって、前記セル再選択のためのキャリアが前記第１セルのみが存在するキャリアであると通知されていないと判定した場合には、前記マクロセルからの制御信号に基づいて、該キャリアにおけるセルとの通信を開始するように構成されていることを特徴とする移動局。
【請求項７】
スモールセルを管理するスモール無線基地局であって、
前記スモールセルが、マクロ無線基地局配下のマクロセルと独立して運用可能な第１セル、又は、該マクロセルと独立して運用不可能な第２セルである場合に、
所定信号を送信するように構成されている送信部を具備し、
前記送信部は、前記スモールセルを前記第１セルとして運用する場合には、前記所定信号の系列として該第１セル用の系列を用い、該スモールセルを前記第２セルとして運用する場合には、前記所定信号の系列として該第２セル用の系列を用いるように構成されていることを特徴とするスモール無線基地局。
【請求項８】
マクロセルとスモールセルとを具備する移動通信システムで用いられ得る移動局における通信制御方法であって、
前記スモールセルは、前記マクロセルと独立して運用可能な第１セル、又は、該マクロセルと独立して運用不可能な第２セルである場合に、
前記スモールセルによって送信されている所定信号を検出する第１ステップと、
前記所定信号の系列が前記第１セル用の系列であるか或いは前記第２セル用の系列であるかについて判定する第２ステップと、
前記スモールセルにおける通信を開始する第３ステップとを備え、
前記第２ステップにおいて、前記所定信号の系列が前記第１セル用の系列であると判定した場合には、前記第３ステップにおいて、前記スモールセルにおける報知情報に基づいて、該スモールセルにおける通信を開始し、
前記第２ステップにおいて、前記所定信号の系列が前記第２セル用の系列であると判定した場合には、前記第３ステップにおいて、前記マクロセルからの制御信号に基づいて、前記スモールセルにおける通信を開始することを特徴とする通信制御方法。
【請求項９】
スモールセルを管理するスモール無線基地局であって、
前記スモールセルが、マクロ無線基地局配下のマクロセルと独立して運用可能な第１セル、又は、該マクロセルと独立して運用不可能な第２セルである場合に、
前記マクロセルの運用状況によって、前記スモールセルを前記第１セル又は前記第２セルのいずれかで運用するように切り替えることを特徴とするスモール無線基地局。
【発明の詳細な説明】
【技術分野】
【０００１】
本発明は、移動局、スモール無線基地局及び通信制御方法に関する。
【背景技術】
【０００２】
２０１２年６月に、３ＧＰＰ主催による将来の無線アクセス技術に関するワークショップが行われた。
【０００３】
かかるワークショップにおいて、将来の無線アクセス技術の１つとして、「Ｅｎｈａｎｃｅｄ  Ｓｍａｌｌ  Ｃｅｌｌ」が多くの会社から提案された（非特許文献１参照）。
【０００４】
特に、従来からある「Ｓｔａｎｄ-ａｌｏｎｅセル」に加えて、「Ｍａｃｒｏ-ａｓｓｉｓｔｅｄセル（或いは、Ｐｈａｎｔｏｍセル）」が提案された（非特許文献２参照）。
【０００５】
かかる「Ｍａｃｒｏ-ａｓｓｉｓｔｅｄセル」が配置される移動通信システムの特徴は、以下の通りである。
【０００６】
かかる移動通信システムでは、マクロセル（Ｍａｃｒｏ  ｃｅｌｌ）と「Ｍａｃｒｏ-ａｓｓｉｓｔｅｄセル」との間で、Ｃ-ｐｌａｎｅとＵ-ｐｌａｎｅとが分けられるように構成されている。
【０００７】
この結果、マクロセルが、従来の移動通信システムで使われている低い周波数でＣ-ｐｌａｎｅ（ＲＲＣシグナリング） をサポートすることにより、良好な移動特性及び接続性を維持することができる。
【０００８】
一方、「Ｍａｃｒｏ-ａｓｓｉｓｔｅｄセル」が、広帯域を利用可能な高い周波数を用いて、Ｕ-ｐｌａｎｅ（ユーザデータ）を通信することにより、高速スループット、及び、柔軟で且つ効率的なコストや電力で通信を提供することができる。
【０００９】
なお、「Ｍａｃｒｏ-ａｓｓｉｓｔｅｄセル」は、既存のセルのように、セル共通の参照信号や同期信号や報知情報（ＭＩＢ/ＳＩＢ） を送信することが不要となり、従来のセルとは違う概念のセルとなる。
【００１０】
ところで、上述したように、「Ｍａｃｒｏ-ａｓｓｉｓｔｅｄセル」が配置される移動通信システムにおいては、一般に、マクロセルと「Ｍａｃｒｏ-ａｓｓｉｓｔｅｄセル」との間で、Ｃ-ｐｌａｎｅとＵ-ｐｌａｎｅとが分けられる、すなわち、マクロセルがＣ-ｐｌａｎｅを伝送し、「Ｍａｃｒｏ-ａｓｓｉｓｔｅｄセル」がＵ-ｐｌａｎｅを伝送する。このＣ-ｐｌａｎｅ及びＵ-ｐｌａｎｅの分担は、厳密であってもよいし、厳密でなくてもよい。
【００１１】
例えば、Ｕ-ｐｌａｎｅの一部は、マクロセルが伝送してもよい。より具体的には、音声サービス等の「Ｒｅａｌ  ｔｉｍｅ  ｓｅｒｖｉｃｅ」に関しては、接続性や安定性が重視されるため、高速移動時での品質も考慮して、マクロセルが伝送してもよい。
【００１２】
或いは、Ｃ-ｐｌａｎｅに関しても、通信の設定において重要な制御情報に関しては、マクロセルによって伝送され、それ以外の重要でない制御情報に関しては、「Ｍａｃｒｏ-ａｓｓｉｓｔｅｄセル」によって伝送されてもよい。
【００１３】
かかる移動通信システムにおいて、移動局ＵＥは、マクロセル及び「Ｍａｃｒｏ-ａｓｓｉｓｔｅｄセル」の両方に対して、同時にコネクションを構築することができる。
【００１４】
ここで、「Ｍａｃｒｏ-ａｓｓｉｓｔｅｄセル」は、マクロセルのカバレッジ内でのみ運用可能なセルである。
【先行技術文献】
【非特許文献】
【００１５】
【非特許文献１】ＲＷＳ-１２００４５、http://3gpp.org/Future-Radio-in-3GPP-300-attend（平成２４年７月２５日検索）
【非特許文献２】ＲＷＳ-１２００１０、http://3gpp.org/Future-Radio-in-3GPP-300-attend（平成２４年７月２５日検索）
【発明の概要】
【発明が解決しようとする課題】
【００１６】
上述したように、「Ｍａｃｒｏ-ａｓｓｉｓｔｅｄセル」の運用を行うためには、「Ｍａｃｒｏ-ａｓｓｉｓｔｅｄセル」をマクロセルのカバレッジ内に配置しなければならないという制約がある。
【００１７】
しかしながら、一部の地域や特定の場所、例えば、地下や屋内の奥の方は、マクロセルのカバレッジ外となってしまう場合がある。
【００１８】
このような地域や場所では、「Ｍａｃｒｏ-ａｓｓｉｓｔｅｄセル」は、従来と同様に「Ｓｔａｎｄ-ａｌｏｎｅセル」として運用されることが好ましい。
【００１９】
一方、「ものづくり」、或いは、標準仕様の観点からは、「Ｍａｃｒｏ-ａｓｓｉｓｔｅｄセル」及び「Ｓｔａｎｄ-ａｌｏｎｅセル」は、可能な限り、共通の無線インターフェイスを持つことが望ましい。
【００２０】
また、「Ｍａｃｒｏ-ａｓｓｉｓｔｅｄセル」であっても、マクロセルが、何らかの要因で（例えば、故障等で）無線通信サービスを停止した場合には、「Ｓｔａｎｄ-ａｌｏｎｅセル」として運用可能であることが望ましい。
【００２１】
そこで、本発明は、上述の課題に鑑みてなされたものであり、柔軟な運用形態を取ることができる「Ｍａｃｒｏ-ａｓｓｉｓｔｅｄセル」を実現することができる移動局、スモール無線基地局及び通信制御方法を提供することを目的とする。
【課題を解決するための手段】
【００２２】
本発明の第１の特徴は、マクロセルとスモールセルとを具備する移動通信システムで用いられ得る移動局であって、前記スモールセルが、該マクロセルと独立して運用可能な第１セル、又は、該マクロセルと独立して運用不可能な第２セルである場合に、前記スモールセルによって送信されている所定信号を検出するように構成されている受信部と、前記所定信号の系列が前記第１セル用の系列であるか或いは前記第２セル用の系列であるかについて判定するように構成されている制御部とを具備しており、前記制御部は、前記所定信号の系列が前記第１セル用の系列であると判定した場合には、前記スモールセルにおける報知情報に基づいて、該スモールセルにおける通信を開始するように構成されており、前記制御部は、前記所定信号の系列が前記第２セル用の系列であると判定した場合には、前記マクロセルからの制御信号に基づいて、前記スモールセルにおける通信を開始するように構成されていることを要旨とする。
【００２３】
本発明の第２の特徴は、マクロセルとスモールセルとを具備する移動通信システムで用いられ得る移動局であって、前記スモールセルが、該マクロセルと独立して運用可能な第１セル、又は、該マクロセルと独立して運用不可能な第２セルである場合に、前記スモールセルによって送信されている同期信号を検出するように構成されている受信部と、前記同期信号の系列が前記第１セル用の系列であるか或いは前記第２セル用の系列であるかについて判定するように構成されている制御部とを具備しており、前記制御部は、前記同期信号の系列が前記第１セル用の系列であると判定した場合には、前記スモールセルにおける報知情報に基づいて、該スモールセルにおける通信を開始するように構成されており、前記制御部は、前記同期信号の系列が前記第２セル用の系列であると判定した場合には、前記マクロセルからの制御信号に基づいて、前記スモールセルにおける通信を開始するように構成されていることを要旨とする。
【００２４】
本発明の第３の特徴は、マクロセルとスモールセルとを具備する移動通信システムで用いられ得る移動局であって、前記スモールセルが、該マクロセルと独立して運用可能な第１セル、又は、該マクロセルと独立して運用不可能な第２セルである場合に、前記スモールセルによって送信されている同期信号を検出した後、該同期信号のサブフレームと同一或いは周辺のサブフレームで送信されている所定信号を受信するように構成されている受信部と、前記所定信号による通知内容に基づいて、前記スモールセルが前記第１セルであるか或いは前記第２セルであるかについて判定するように構成されている制御部とを具備しており、前記制御部は、前記スモールセルが前記第１セルであると判定した場合には、該スモールセルにおける報知情報に基づいて、該スモールセルにおける通信を開始するように構成されており、前記制御部は、前記スモールセルが前記第２セルであると判定した場合には、前記マクロセルからの制御信号に基づいて、該スモールセルにおける通信を開始するように構成されていることを要旨とする。
【００２５】
本発明の第４の特徴は、マクロセルとスモールセルとを具備する移動通信システムで用いられ得る移動局であって、前記スモールセルが、該マクロセルと独立して運用可能な第１セル、又は、該マクロセルと独立して運用不可能な第２セルである場合に、前記スモールセルによって送信されている同期信号を検出した後、所定信号を受信するように構成されている受信部と、前記所定信号の系列が前記第１セル用の系列であるか或いは前記第２セル用の系列であるかについて判定するように構成されている制御部とを具備しており、前記制御部は、前記所定信号の系列が前記第１セル用の系列であると判定した場合には、前記スモールセルにおける報知情報に基づいて、該スモールセルにおける通信を開始するように構成されており、前記制御部は、前記所定信号の系列が前記第２セル用の系列であると判定した場合には、前記マクロセルからの制御信号に基づいて、前記スモールセルにおける通信を開始するように構成されていることを要旨とする。
【００２６】
本発明の第５の特徴は、マクロセルとスモールセルとを具備する移動通信システムで用いられ得る移動局であって、前記スモールセルが、該マクロセルと独立して運用可能な第１セル、又は、該マクロセルと独立して運用不可能な第２セルである場合に、前記スモールセルによって送信されている報知情報を受信するように構成されている受信部と、前記報知情報による通知内容に基づいて、前記スモールセルが前記第１セルであるか或いは前記第２セルであるかについて判定するように構成されている制御部とを具備しており、前記制御部は、前記スモールセルが前記第１セルであると判定した場合には、該スモールセルにおける残りの報知情報に基づいて、該スモールセルにおける通信を開始するように構成されており、前記制御部は、前記スモールセルが前記第２セルであると判定した場合には、前記マクロセルからの制御信号に基づいて、該スモールセルにおける通信を開始するように構成されていることを要旨とする。
【００２７】
本発明の第６の特徴は、マクロセルとスモールセルとを具備する移動通信システムで用いられ得る移動局であって、前記スモールセルが、該マクロセルと独立して運用可能な第１セル、又は、該マクロセルと独立して運用不可能な第２セルである場合に、前記マクロセルにおいて、特定の報知情報によって、セル再選択のためのキャリアが前記第１セルのみが存在するキャリアであると通知されているか否かについて判定するように構成されている制御部を具備しており、前記制御部は、前記特定の報知情報によって、前記セル再選択のためのキャリアが前記第１セルのみが存在するキャリアであると通知されていると判定した場合には、該キャリアにおけるセルにセル再選択を行った後、該セルにおける報知情報に基づいて、該セルにおける通信を開始するように構成されており、前記制御部は、前記特定の報知情報によって、前記セル再選択のためのキャリアが前記第１セルのみが存在するキャリアであると通知されていないと判定した場合には、前記マクロセルからの制御信号に基づいて、該キャリアにおけるセルとの通信を開始するように構成されていることを要旨とする。
【００２８】
本発明の第７の特徴は、スモールセルを管理する無線基地局であって、前記スモールセルが、マクロ無線基地局配下のマクロセルと独立して運用可能な第１セル、又は、該マクロセルと独立して運用不可能な第２セルである場合に、所定信号を送信するように構成されている送信部を具備し、前記送信部は、前記スモールセルを前記第１セルとして運用する場合には、前記所定信号の系列として該第１セル用の系列を用い、該スモールセルを前記第２セルとして運用する場合には、前記所定信号の系列として該第２セル用の系列を用いるように構成されていることを要旨とする。
【００２９】
本発明の第８の特徴は、マクロセルとスモールセルとを具備する移動通信システムで用いられ得る移動局における通信制御方法であって、前記スモールセルは、前記マクロセルと独立して運用可能な第１セル、又は、該マクロセルと独立して運用不可能な第２セルである場合に、前記スモールセルによって送信されている所定信号を検出する第１ステップと、前記所定信号の系列が前記第１セル用の系列であるか或いは前記第２セル用の系列であるかについて判定する第２ステップと、前記スモールセルにおける通信を開始する第３ステップとを備え、前記第２ステップにおいて、前記所定信号の系列が前記第１セル用の系列であると判定した場合には、前記第３ステップにおいて、前記スモールセルにおける報知情報に基づいて、該スモールセルにおける通信を開始し、前記第２ステップにおいて、前記所定信号の系列が前記第２セル用の系列であると判定した場合には、前記第３ステップにおいて、前記マクロセルからの制御信号に基づいて、前記スモールセルにおける通信を開始することを要旨とする。
【００３０】
本発明の第９の特徴は、スモールセルを管理するスモール無線基地局であって、前記スモールセルが、マクロ無線基地局配下のマクロセルと独立して運用可能な第１セル、又は、該マクロセルと独立して運用不可能な第２セルである場合に、前記マクロセルの運用状況によって、前記スモールセルを前記第１セル又は前記第２セルのいずれかで運用するように切り替えることを要旨とする。
【発明の効果】
【００３１】
以上説明したように、本発明によれば、柔軟な運用形態を取ることができる「Ｍａｃｒｏ-ａｓｓｉｓｔｅｄセル」を実現することができる移動局、スモール無線基地局及び通信制御方法を提供することができる。
【図面の簡単な説明】
【００３２】
【図１】本発明の第１の実施形態に係る移動通信システムの全体構成図である。
【図２】本発明の第１の実施形態に係るスモール無線基地局の機能ブロック図である。
【図３】本発明の第１の実施形態に係るスモール無線基地局によって送信される同期信号の一例を示す図である。
【図４】本発明の第１の実施形態に係るスモール無線基地局によって送信される「Ｄｉｓｃｏｖｅｒｙ  ｓｉｇｎａｌ」の一例を示す図である。
【図５】本発明の第１の実施形態に係るマクロ無線基地局及び移動局の機能ブロック図である。
【図６】本発明の第１の実施形態に係る移動局の動作を示すフローチャートである。
【図７】本発明の変更例１に係るスモール無線基地局によって送信される同期信号の一例を示す図である。
【図８】本発明の変更例１に係る移動局の動作を示すフローチャートである。
【図９】本発明の変更例２に係るスモール無線基地局によって送信される新しい信号の一例を示す図である。
【図１０】本発明の変更例２に係る移動局の動作を示すフローチャートである。
【図１１】本発明の変更例３に係る移動局の動作を示すフローチャートである。
【図１２】本発明の変更例４に係るスモール無線基地局によって送信される報知情報の一例を示す図である。
【図１３】本発明の変更例４に係るスモール無線基地局によって送信される報知情報の一例を示す図である。
【図１４】本発明の変更例４に係る移動局の動作を示すフローチャートである。
【図１５】本発明の変更例５に係るスモール無線基地局によって送信される報知情報の一例を示す図である。
【図１６】本発明の変更例５に係る移動局の動作を示すフローチャートである。
【図１７】本発明の変更例６に係るスモール無線基地局の動作を示すフローチャートである。
【発明を実施するための形態】
【００３３】
（本発明の第１の実施形態に係る移動通信システム）
図１乃至図６を参照して、本発明の第１の実施形態に係る移動通信システムについて説明する。
【００３４】
本実施形態では、ＬＴＥ方式の移動通信システムを例に挙げて説明するが、本発明は、かかる移動通信システムに限定されず、他の方式の移動通信システムにも適用可能である。
【００３５】
図１に示すように、本実施形態に係る移動通信システムには、「マクロセル」であるセル＃１、及び、「スモールセル（Ｓｍａｌｌ  ｃｅｌｌ）」であるセル＃１１０Ａやセル＃１１０Ｂやセル＃１１０Ｃやセル＃１１０Ｄやセル＃１１０Ｅ等が配置されている。
【００３６】
なお、マクロセルにおいては、マクロ無線基地局Ｍａｃｒｏ  ｅＮＢが移動通信サービスを提供し、スモールセルにおいては、スモール無線基地局Ｓｍａｌｌ  ｅＮＢ＃１１（図１の例では、Ｓｍａｌｌ  ｅＮＢ＃１１ＡやＳｍａｌｌ  ｅＮＢ＃１１ＢやＳｍａｌｌ  ｅＮＢ＃１１ＣやＳｍａｌｌ  ｅＮＢ＃１１ＤやＳｍａｌｌ  ｅＮＢ＃１１Ｅ）が移動通信サービスを提供する。すなわち、スモール無線基地局Ｓｍａｌｌ  ｅＮＢ＃１１Ａ/Ｓｍａｌｌ  ｅＮＢ＃１１Ｂ/Ｓｍａｌｌ  ｅＮＢ＃１１Ｃ/Ｓｍａｌｌ  ｅＮＢ＃１１Ｄ/Ｓｍａｌｌ  ｅＮＢ＃１１Ｅは、それぞれ、セル＃１１０Ａやセル＃１１０Ｂやセル＃１１０Ｃやセル＃１１０Ｄやセル＃１１０Ｅにおいて、移動通信サービスを提供する。
【００３７】
図１の例では、セル＃１は、２ＧＨｚ帯で運用されており、セル＃１１０Ａやセル＃１１０Ｂやセル＃１１０Ｃは、３.５ＧＨｚ帯で運用されている。
【００３８】
なお、２ＧＨｚ帯や３.５ＧＨｚ帯といった周波数バンドは、あくまでも例であり、２ＧＨｚ帯以外の周波数バンドがセル＃１で使用され、３.５ＧＨｚ帯以外の周波数バンドがセル＃１１０Ａやセル＃１１０Ｂやセル＃１１０Ｃやセル＃１１０Ｄやセル＃１１０Ｅで使用されてもよい。
【００３９】
例えば、セル＃１１０Ａは、「Ｍａｃｒｏ-ａｓｓｉｓｔｅｄセル（Ｐｈａｎｔｏｍセル）」であり、セル＃１１０Ｂは、「Ｓｔａｎｄ-ａｌｏｎｅセル」であってもよい。
【００４０】
セル＃１１０Ａが、「Ｍａｃｒｏ-ａｓｓｉｓｔｅｄセル」である場合、移動局ＵＥは、マクロ無線基地局Ｍａｃｒｏ  ｅＮＢ及びスモール無線基地局Ｓｍａｌｌ  ｅＮＢ＃１１Ａの両方との間でコネクションを構築し、マクロ無線基地局Ｍａｃｒｏ  ｅＮＢとの間でＣ-Ｐｌａｎｅの送受信を行い、スモール無線基地局Ｓｍａｌｌ  ｅＮＢ＃１１Ａとの間でＵ-Ｐｌａｎｅの送受信を行うように構成されている。
【００４１】
より具体的には、移動局ＵＥとスモール無線基地局Ｓｍａｌｌ  ｅＮＢ＃１１Ａとの間のコネクションは、移動局ＵＥとマクロ無線基地局Ｍａｃｒｏ  ｅＮＢとの間でやり取りされる制御信号（Ｃ-Ｐｌａｎｅ）に基づいて構築され、移動局ＵＥは、構築された移動局ＵＥとスモール無線基地局Ｓｍａｌｌ  ｅＮＢ＃１１Ａとの間のコネクションを用いて、スモール無線基地局Ｓｍａｌｌ  ｅＮＢ＃１１Ａとの間でユーザデータ（Ｕ-Ｐｌａｎｅ）のやり取りを行う。
【００４２】
図２に示すように、スモール無線基地局Ｓｍａｌｌ  ｅＮＢは、送信部１１１と、受信部１１２とを具備している。スモール無線基地局Ｓｍａｌｌ  ｅＮＢ＃１１Ａ/Ｓｍａｌｌ  ｅＮＢ＃１１Ｂ/Ｓｍａｌｌ  ｅＮＢ＃１１Ｃ/Ｓｍａｌｌ  ｅＮＢ＃１１Ｄ/Ｓｍａｌｌ  ｅＮＢ＃１１Ｅは、同一の構成、機能、状態を有するので、以下では、特段の断りがない限り、スモール無線基地局Ｓｍａｌｌ  ｅＮＢとして説明を進める。なお、スモール無線基地局Ｓｍａｌｌ  ｅＮＢの配下のセルは、セル＃１１０と呼ぶ。
【００４３】
送信部１１１は、スモール無線基地局Ｓｍａｌｌ  ｅＮＢ配下のセル＃１１０において、移動局ＵＥに対して各種信号を送信するように構成されており、受信部１２は、スモール無線基地局Ｓｍａｌｌ  ｅＮＢ配下のセル＃１１０において、移動局ＵＥから各種信号を受信するように構成されている。
【００４４】
例えば、送信部１１１は、スモール無線基地局Ｓｍａｌｌ  ｅＮＢ配下のセル＃１１０において、ＰＳＳ（Ｐｒｉｍａｒｙ  Ｓｙｎｃｈｒｏｎｉｚａｔｉｏｎ  Ｓｉｇｎａｌ）及びＳＳＳ（Ｓｅｃｏｎｄａｒｙ  Ｓｙｎｃｈｒｏｎｉｚａｔｉｏｎ  Ｓｉｇｎａｌ）を送信するように構成されている。
【００４５】
各セルは、５０４個のＰＣＩ（Ｐｈｙｓｉｃａｌ  Ｃｅｌｌ  ＩＤ）を有している。また、ＰＳＳ及びＳＳＳは、５０４個の系列を有しており、移動局ＵＥは、ＰＳＳ及びＳＳＳの系列を特定することで、ＰＣＩを特定することが可能である。
【００４６】
図３に示すように、ＰＳＳ及びＳＳＳは、無線フレーム内の０番目及び５番目のサブフレームの第１スロットの末尾に配置されるように規定されている。
【００４７】
ＰＳＳ及びＳＳＳは、は、オーバヘッドや時間ダイバーシチ効果や他システムからのＬＴＥセル選択やセル再選択やメジャメント（ｍｅａｓｕｒｅｍｅｎｔ）等を考慮して、５ｍｓ周期に配置されるように規定されている。
【００４８】
また、送信部１１１は、図４に示すように、ＰＳＳ及びＳＳＳに加えて、新規に定義する信号である「Ｄｉｓｃｏｖｅｒｙ  ｓｉｇｎａｌ」を送信するように構成されている。
【００４９】
ここで、「Ｄｉｓｃｏｖｅｒｙ  ｓｉｇｎａｌ」の系列のうち、一部を「Ｓｔａｎｄ-ａｌｏｎｅセル」用の系列と定義し、残りを「Ｍａｃｒｏ-ａｓｓｉｓｔｅｄセル」用の系列と定義する。
【００５０】
例えば、ＩＤが「０」〜「５０３」である「Ｄｉｓｃｏｖｅｒｙ  ｓｉｇｎａｌ」の系列を「Ｓｔａｎｄ-ａｌｏｎｅセル」用の系列と定義し、ＩＤが「５０４」〜「１００７」である「Ｄｉｓｃｏｖｅｒｙ  ｓｉｇｎａｌ」の系列を「Ｍａｃｒｏ-ａｓｓｉｓｔｅｄセル」用の系列と定義してもよい。
【００５１】
なお、「Ｄｉｓｃｏｖｅｒｙ  ｓｉｇｎａｌ」の位置は、例えば、「ＳＦＮ（Ｓｙｓｔｅｍ  Ｆｒａｍｅ  Ｎｕｍｂｅｒ）＃Ｎ１で、サブフレーム番号＃Ｎ２で、リソースブロック番号＃Ｎ３〜＃Ｎ４である」と仕様で決めておくことによって、移動局ＵＥは、「Ｄｉｓｃｏｖｅｒｙ  ｓｉｇｎａｌ」を検出すれば、ＰＳＳ及びＳＳＳの位置も検出することができる。
【００５２】
なお、上述した記載において、上述の「＃Ｎ１」は、Ｓｙｓｔｅｍ  Ｆｒａｍｅ  Ｎｕｍｂｅｒを特定する番号であり、上述の「＃Ｎ２」は、サブフレーム番号を特定する番号であり、上述の「＃Ｎ３」及び「＃Ｎ４」は、リソースブロック番号を特定する番号である。
【００５３】
また、「Ｄｉｓｃｏｖｅｒｙ  ｓｉｇｎａｌ」の系列によって「Ｍａｃｒｏ-ａｓｓｉｓｔｅｄセル」であるか否かについて判定される他に、「Ｄｉｓｃｏｖｅｒｙ  ｓｉｇｎａｌ」の（時間的、周波数的）リソース位置によって「Ｍａｃｒｏ-ａｓｓｉｓｔｅｄセル」であるか否かについて判定されてもよい。
【００５４】
図５（ａ）に示すように、移動局ＵＥは、受信部２１と、制御部２２と、送信部２３とを具備している。
【００５５】
受信部２１は、セル＃１を管理するマクロ無線基地局Ｍａｃｒｏ  ｅＮＢやセル＃１１０を管理するスモール無線基地局Ｓｍａｌｌ  ｅＮＢから各種信号を受信するように構成されており、送信部２３は、セル＃１を管理するマクロ無線基地局Ｍａｃｒｏ  ｅＮＢやセル＃１１０を管理するスモール無線基地局Ｓｍａｌｌ  ｅＮＢに対して各種信号を送信するように構成されている。
【００５６】
ここで、受信部２１は、スモールセルに関しては、すなわち、３.５ＧＨｚ帯においては、ＰＳＳ及びＳＳＳに加えて、上述の「Ｄｉｓｃｏｖｅｒｙ  ｓｉｇｎａｌ」を検出するように構成されている。
【００５７】
制御部２２は、かかる「Ｄｉｓｃｏｖｅｒｙ  ｓｉｇｎａｌ」の系列が「Ｓｔａｎｄ-ａｌｏｎｅセル」用の系列であるか或いは「Ｍａｃｒｏ-ａｓｓｉｓｔｅｄセル」用の系列であるかについて判定するように構成されている。
【００５８】
ここで、制御部２２は、かかる「Ｄｉｓｃｏｖｅｒｙ  ｓｉｇｎａｌ」の系列が「Ｓｔａｎｄ-ａｌｏｎｅセル」用の系列であると判定した場合には、かかるスモールセルにおけるＭＩＢ/ＳＩＢに基づいて、かかるスモールセルにおける通信を開始するように構成されている、すなわち、「Ｓｔａｎｄ-ａｌｏｎｅセル」におけるコネクション（Ｕ-Ｐｌａｎｅ及びＣ-Ｐｌａｎｅ）を構築するように構成されている。
【００５９】
一方、制御部２２は、かかる「Ｄｉｓｃｏｖｅｒｙ  ｓｉｇｎａｌ」の系列が「Ｍａｃｒｏ-ａｓｓｉｓｔｅｄセル」用の系列であると判定した場合には、マクロセルからの制御信号に基づいて、かかるスモールセルにおける通信を開始するように構成されている、すなわち、制御部２２は、かかるスモールセルにおけるコネクションを、マクロ無線基地局Ｍａｃｒｏ  ｅＮＢと移動局ＵＥとの間でやり取りされる制御信号（Ｃ-Ｐｌａｎｅ）に基づいて構築するように構成されている。
【００６０】
かかる場合、受信部２１は、かかるスモールセル（「Ｍａｃｒｏ-ａｓｓｉｓｔｅｄセル」）における報知情報を受信しないように構成されている。
【００６１】
また、受信部２１は、マクロ無線基地局Ｍａｃｒｏ  ｅＮＢからの個別の制御信号や報知情報を介して、上述のスモールセル（「Ｍａｃｒｏ-ａｓｓｉｓｔｅｄセル」）のための制御信号（ＭＩＢ/ＳＩＢに相当する）を取得するように構成されている。
【００６２】
図５（ｂ）に示すように、マクロ無線基地局Ｍａｃｒｏ  ｅＮＢは、送信部３１と、受信部３２とを具備している。
【００６３】
送信部３１は、マクロ無線基地局Ｍａｃｒｏ  ｅＮＢ配下のマクロセルにおいて、移動局ＵＥに対して各種信号を送信するように構成されており、受信部３２は、マクロ無線基地局Ｍａｃｒｏ  ｅＮＢ配下のマクロセルにおいて、移動局ＵＥから各種信号を受信するように構成されている。
【００６４】
また、送信部３１は、個別の制御信号や報知情報を用いて、スモールセル（「Ｍａｃｒｏ-ａｓｓｉｓｔｅｄセル」）のための制御信号（ＭＩＢ/ＳＩＢに相当する）を送信する。
【００６５】
さらに、送信部３１は、移動局ＵＥが、スモールセル（「Ｍａｃｒｏ-ａｓｓｉｓｔｅｄセル」）において、スモール無線基地局Ｓｍａｌｌ  ｅＮＢとの間のコネクションを構築する場合には、個別の制御情報を用いて、上述のコネクションを構築するための制御信号を移動局ＵＥに対して送信する。
【００６６】
かかる個別の制御信号は、ＲＲＣレイヤで通知されてもよいし、ＰＤＣＰレイヤやＲＬＣレイヤやＭＡＣレイヤや物理レイヤ等のいかなるレイヤで通知されてもよい。
【００６７】
以下、図６を参照して、本実施形態に係る移動局ＵＥの動作について説明する。
【００６８】
図６に示すように、移動局ＵＥは、ステップＳ１０１において、スモールセルにおいて、「Ｄｉｓｃｏｖｅｒｙ  ｓｉｇｎａｌ」を検出すると、ステップＳ１０２において、かかる「Ｄｉｓｃｏｖｅｒｙ  ｓｉｇｎａｌ」の系列が「Ｓｔａｎｄ-ａｌｏｎｅセル」用の系列であるか或いは「Ｍａｃｒｏ-ａｓｓｉｓｔｅｄセル」用の系列であるかについて判定する。
【００６９】
移動局ＵＥは、かかる「Ｄｉｓｃｏｖｅｒｙ  ｓｉｇｎａｌ」の系列が「Ｓｔａｎｄ-ａｌｏｎｅセル」用の系列であると判定した場合には、ステップＳ１０３において、かかるスモールセルにおけるＭＩＢ及びＳＩＢを受信する。
【００７０】
この場合、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。
【００７１】
一方、移動局ＵＥは、かかる「Ｄｉｓｃｏｖｅｒｙ  ｓｉｇｎａｌ」の系列が「Ｍａｃｒｏ-ａｓｓｉｓｔｅｄセル」用の系列であると判定した場合には、ステップＳ１０４において、かかるスモールセルにおけるＭＩＢ及びＳＩＢに相当する制御信号を、マクロ無線基地局Ｍａｃｒｏ  ｅＮＢからの個別の制御信号や報知情報等を介して受信する。
【００７２】
この場合、もし移動局ＵＥが、かかるスモールセルとのコネクションを構築する場合には、移動局ＵＥは、マクロ無線基地局Ｍａｃｒｏ  ｅＮＢからの個別の制御信号に基づいて、かかるコネクションを構築する。
【００７３】
かかる個別の制御信号は、ＲＲＣレイヤで通知されてもよいし、ＰＤＣＰレイヤやＲＬＣレイヤやＭＡＣレイヤや物理レイヤ等のいかなるレイヤで通知されてもよい。
【００７４】
本実施形態に係る移動通信システムによれば、移動局ＵＥが、検出した「Ｄｉｓｃｏｖｅｒｙ  ｓｉｇｎａｌ」の系列に基づいて、スモールセルが「Ｓｔａｎｄ-ａｌｏｎｅセル」であるか或いは「Ｍａｃｒｏ-ａｓｓｉｓｔｅｄセル」であるかについて判定することができる。
【００７５】
したがって、スモールセルで送信する「Ｄｉｓｃｏｖｅｒｙ  ｓｉｇｎａｌ」の系列を変えることによって、特定のスモールセルを「Ｓｔａｎｄ-ａｌｏｎｅセル」及び「Ｍａｃｒｏ-ａｓｓｉｓｔｅｄセル」のどちらとしても運用することができる。
【００７６】
（変更例１）
図７及び図８を参照して、本発明の変更例１に係る移動通信システムについて、上述の第１の実施形態に係る移動通信システムとの相違点に着目して説明する。
【００７７】
本変更例１に係る移動通信システムでは、ＰＳＳ/ＳＳＳの系列のうち、一部を「Ｓｔａｎｄ-ａｌｏｎｅセル」用の系列と定義し、残りを「Ｍａｃｒｏ-ａｓｓｉｓｔｅｄセル」用の系列と定義する。
【００７８】
例えば、ＩＤが「０」〜「９９」であるＰＳＳ/ＳＳＳの系列を「Ｓｔａｎｄ-ａｌｏｎｅセル」用の系列と定義し、ＩＤが「１００」〜「５０３」であるＰＳＳ/ＳＳＳの系列を「Ｍａｃｒｏ-ａｓｓｉｓｔｅｄセル」用の系列と定義してもよい。
【００７９】
また、スモール無線基地局Ｓｍａｌｌ  ｅＮＢにおける送信部１１１は、図７に示すように、ＰＳＳ及びＳＳＳを送信するように構成されている。
【００８０】
移動局ＵＥにおける制御部２２は、スモールセルにおけるＰＳＳ/ＳＳＳの系列が「Ｓｔａｎｄ-ａｌｏｎｅセル」用の系列であるか或いは「Ｍａｃｒｏ-ａｓｓｉｓｔｅｄセル」用の系列であるかについて判定するように構成されている。
【００８１】
ここで、制御部２２は、スモールセルにおけるＰＳＳ/ＳＳＳの系列が「Ｓｔａｎｄ-ａｌｏｎｅセル」用の系列であると判定した場合には、かかるスモールセルにおけるＭＩＢ/ＳＩＢに基づいて、かかるスモールセルにおける通信を開始するように構成されている、すなわち、「Ｓｔａｎｄ-ａｌｏｎｅセル」におけるコネクション（Ｕ-Ｐｌａｎｅ及びＣ-Ｐｌａｎｅ）を構築するように構成されている。
【００８２】
一方、制御部２２は、スモールセルにおけるＰＳＳ/ＳＳＳの系列が「Ｍａｃｒｏ-ａｓｓｉｓｔｅｄセル」用の系列であると判定した場合には、マクロセルからの制御信号に基づいて、かかるスモールセルにおける通信を開始するように構成されている、すなわち、制御部２２は、かかるスモールセルにおけるコネクションを、マクロ無線基地局Ｍａｃｒｏ  ｅＮＢと移動局ＵＥとの間でやり取りされる制御信号（Ｃ-ｐｌａｎｅ）に基づいて構築するように構成されている。
【００８３】
以下、図８を参照して、本変更例１に係る移動局ＵＥの動作について説明する。
【００８４】
図８に示すように、移動局ＵＥは、ステップＳ２０１において、スモールセルにおいて、ＰＳＳ/ＳＳＳを検出すると、ステップＳ２０２において、かかるＰＳＳ/ＳＳＳの系列が「Ｓｔａｎｄ-ａｌｏｎｅセル」用の系列であるか或いは「Ｍａｃｒｏ-ａｓｓｉｓｔｅｄセル」用の系列であるかについて判定する。
【００８５】
移動局ＵＥは、かかるＰＳＳ/ＳＳＳの系列が「Ｓｔａｎｄ-ａｌｏｎｅセル」用の系列であると判定した場合には、ステップＳ２０３において、かかるスモールセルにおけるＭＩＢ及びＳＩＢを受信する。
【００８６】
この場合、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。
【００８７】
一方、移動局ＵＥは、かかるＰＳＳ/ＳＳＳの系列が「Ｍａｃｒｏ-ａｓｓｉｓｔｅｄセル」用の系列であると判定した場合には、ステップＳ２０４において、かかるスモールセルにおけるＭＩＢ及びＳＩＢに相当する制御信号を、マクロ無線基地局Ｍａｃｒｏ  ｅＮＢからの個別の制御信号や報知情報等を介して受信する。
【００８８】
この場合、もし移動局ＵＥが、かかるスモールセルとのコネクションを構築する場合には、移動局ＵＥは、マクロ無線基地局Ｍａｃｒｏ  ｅＮＢからの個別の制御信号に基づいて、かかるコネクションを構築する。
【００８９】
本変更例１に係る移動通信システムによれば、移動局ＵＥが、検出したＰＳＳ/ＳＳＳの系列に基づいて、スモールセルが「Ｓｔａｎｄ-ａｌｏｎｅセル」であるか或いは「Ｍａｃｒｏ-ａｓｓｉｓｔｅｄセル」であるかについて判定することができる。
【００９０】
したがって、スモールセルで送信するＰＳＳ/ＳＳＳの系列を変えることによって、特定のスモールセルを「Ｓｔａｎｄ-ａｌｏｎｅセル」及び「Ｍａｃｒｏ-ａｓｓｉｓｔｅｄセル」のどちらとしても運用することができる。
【００９１】
（変更例２）
図９及び図１０を参照して、本発明の変更例２に係る移動通信システムについて、上述の第１の実施形態に係る移動通信システムとの相違点に着目して説明する。
【００９２】
本変更例２に係る移動通信システムでは、図９に示すように、スモール無線基地局Ｓｍａｌｌ  ｅＮＢにおける送信部１１１は、ＰＳＳ/ＳＳＳのサブフレームと同一或いは周辺のサブフレームで、新しい信号を送信するように構成されている。
【００９３】
ここで、新しい信号は、かかる新しい信号が送信されているセルが「Ｓｔａｎｄ-ａｌｏｎｅセル」であるか或いは「Ｍａｃｒｏ-ａｓｓｉｓｔｅｄセル」であるかについて通知する信号である。
【００９４】
かかる新しい信号は、１ビットで「Ｓｔａｎｄ-ａｌｏｎｅセル」及び「Ｍａｃｒｏ-ａｓｓｉｓｔｅｄセル」を識別するだけの信号であってもよいし、上述の「Ｄｉｓｃｏｖｅｒｙ  ｓｉｇｎａｌ」相当の信号であってもよい。
【００９５】
移動局ＵＥにおける受信部２１は、スモールセルによって送信されているＰＳＳ/ＳＳＳを検出した後、ＰＳＳ/ＳＳＳのサブフレームと同一或いは周辺のサブフレームで送信されている新しい信号を受信するように構成されている。
【００９６】
移動局ＵＥにおける制御部２２は、かかる新しい信号による通知内容に基づいて、スモールセルが「Ｓｔａｎｄ-ａｌｏｎｅセル」であるか或いは「Ｍａｃｒｏ-ａｓｓｉｓｔｅｄセル」であるかについて判定するように構成されている。
【００９７】
或いは、移動局ＵＥにおける制御部２２は、上述の新しい信号の（時間的、周波数的な）リソース位置によって、スモールセルが「Ｓｔａｎｄ-ａｌｏｎｅセル」であるか或いは「Ｍａｃｒｏ-ａｓｓｉｓｔｅｄセル」であるについて判定するように構成されていてもよい。
【００９８】
ここで、制御部２２は、スモールセルが「Ｓｔａｎｄ-ａｌｏｎｅセル」であると判定した場合には、かかるスモールセルにおけるＭＩＢ/ＳＩＢに基づいて、かかるスモールセルにおける通信を開始するように構成されている、すなわち、「Ｓｔａｎｄ-ａｌｏｎｅセル」におけるコネクション（Ｕ-Ｐｌａｎｅ及びＣ-Ｐｌａｎｅ）を構築するように構成されている。
【００９９】
一方、制御部２２は、スモールセルが「Ｍａｃｒｏ-ａｓｓｉｓｔｅｄセル」であると判定した場合には、マクロセルからの制御信号に基づいて、かかるスモールセルにおける通信を開始するように構成されている、すなわち、制御部２２は、かかるスモールセルにおけるコネクションを、マクロ無線基地局Ｍａｃｒｏ  ｅＮＢと移動局ＵＥとの間でやり取りされる制御（Ｃ-ｐｌａｎｅ）に基づいて構築するように構成されている。
【０１００】
かかる個別の制御信号は、ＲＲＣレイヤで通知されてもよいし、ＰＤＣＰレイヤやＲＬＣレイヤやＭＡＣレイヤや物理レイヤ等のいかなるレイヤで通知されてもよい。
【０１０１】
なお、新しい信号が、上述の「Ｄｉｓｃｏｖｅｒｙ  ｓｉｇｎａｌ」相当の信号である場合、制御部２２は、スモールセルのＩＤ (例えば、Ｐｈａｎｔｏｍ  ｃｅｌｌ  ＩＤ)を検出するように構成されていてもよい。
【０１０２】
また、新しい信号は、上述の第１の実施形態に係る「Ｄｉｓｃｏｖｅｒｙ  ｓｉｇｎａｌ」やＰＳＳ/ＳＳＳのように、セルを検出するために用いられる信号でなくてもよい。
【０１０３】
以下、図１０を参照して、本変更例２に係る移動局ＵＥの動作について説明する。
【０１０４】
図１０に示すように、移動局ＵＥは、ステップＳ３０１において、スモールセルにおいて、ＰＳＳ/ＳＳＳを検出した後、新しい信号を受信し、ステップＳ３０２において、かかる新しい信号による通知内容に基づいて、スモールセルが「Ｓｔａｎｄ-ａｌｏｎｅセル」であるか或いは「Ｍａｃｒｏ-ａｓｓｉｓｔｅｄセル」であるかについて判定する。
【０１０５】
移動局ＵＥは、スモールセルが「Ｓｔａｎｄ-ａｌｏｎｅセル」であると判定した場合には、ステップＳ３０３において、かかるスモールセルにおけるＭＩＢ及びＳＩＢを受信する。
【０１０６】
この場合、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。
【０１０７】
一方、移動局ＵＥは、スモールセルが「Ｍａｃｒｏ-ａｓｓｉｓｔｅｄセル」であると判定した場合には、ステップＳ３０４において、かかるスモールセルにおけるＭＩＢ及びＳＩＢに相当する制御信号を、マクロ無線基地局Ｍａｃｒｏ  ｅＮＢからの個別の制御信号や報知情報等を介して受信する。
【０１０８】
この場合、もし移動局ＵＥが、かかるスモールセルとのコネクションを構築する場合には、移動局ＵＥは、マクロ無線基地局Ｍａｃｒｏ  ｅＮＢからの個別の制御信号に基づいて、かかるコネクションを構築する。
【０１０９】
本変更例２に係る移動通信システムによれば、移動局ＵＥが、受信した新しい信号に基づいて、スモールセルが「Ｓｔａｎｄ-ａｌｏｎｅセル」であるか或いは「Ｍａｃｒｏ-ａｓｓｉｓｔｅｄセル」であるかについて判定することができる。
【０１１０】
したがって、スモールセルで送信する新しい信号の通知内容を変えることによって、特定のスモールセルを「Ｓｔａｎｄ-ａｌｏｎｅセル」及び「Ｍａｃｒｏ-ａｓｓｉｓｔｅｄセル」のどちらとしても運用することができる。
【０１１１】
（変更例３）
図１１を参照して、本発明の変更例３に係る移動通信システムについて、上述の第１の実施形態に係る移動通信システムとの相違点に着目して説明する。
【０１１２】
本変更例３に係る移動通信システムでは、移動局ＵＥにおける受信部２１は、スモールセルによって送信されているＰＳＳ/ＳＳＳを検出した後、「Ｄｉｓｃｏｖｅｒｙ  ｓｉｇｎａｌ」を受信するように構成されている。
【０１１３】
ここで、受信部２１は、「Ｄｉｓｃｏｖｅｒｙ  ｓｉｇｎａｌ」を用いて、セルを検出するのではなく、ＰＳＳ/ＳＳＳを用いて、セルを検出するように構成されている。
【０１１４】
以下、図１１を参照して、本変更例３に係る移動局ＵＥの動作について説明する。
【０１１５】
図１１に示すように、移動局ＵＥは、ステップＳ４０１において、スモールセルにおいて、ＰＳＳ/ＳＳＳを検出した後、「Ｄｉｓｃｏｖｅｒｙ  ｓｉｇｎａｌ」を受信し、ステップＳ４０２において、かかる「Ｄｉｓｃｏｖｅｒｙ  ｓｉｇｎａｌ」の系列が「Ｓｔａｎｄ-ａｌｏｎｅセル」用の系列であるか或いは「Ｍａｃｒｏ-ａｓｓｉｓｔｅｄセル」用の系列であるかについて判定する。
【０１１６】
移動局ＵＥは、かかる「Ｄｉｓｃｏｖｅｒｙ  ｓｉｇｎａｌ」の系列が「Ｓｔａｎｄ-ａｌｏｎｅセル」用の系列であると判定した場合には、ステップＳ４０３において、かかるスモールセルにおけるＭＩＢ及びＳＩＢを受信する。
【０１１７】
この場合、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。
【０１１８】
一方、移動局ＵＥは、かかる「Ｄｉｓｃｏｖｅｒｙ  ｓｉｇｎａｌ」の系列が「Ｍａｃｒｏ-ａｓｓｉｓｔｅｄセル」用の系列であると判定した場合には、ステップＳ４０４において、かかるスモールセルにおけるＭＩＢ及びＳＩＢに相当する制御信号を、マクロ無線基地局Ｍａｃｒｏ  ｅＮＢからの個別の制御信号や報知情報等を介して受信する。
【０１１９】
この場合、もし移動局ＵＥが、かかるスモールセルとのコネクションを構築する場合には、移動局ＵＥは、マクロ無線基地局Ｍａｃｒｏ  ｅＮＢからの個別の制御信号に基づいて、かかるコネクションを構築する。
【０１２０】
本変更例３に係る移動通信システムによれば、移動局ＵＥが、検出した「Ｄｉｓｃｏｖｅｒｙ  ｓｉｇｎａｌ」の系列に基づいて、スモールセルが「Ｓｔａｎｄ-ａｌｏｎｅセル」であるか或いは「Ｍａｃｒｏ-ａｓｓｉｓｔｅｄセル」であるかについて判定することができる。
【０１２１】
したがって、スモールセルで送信する「Ｄｉｓｃｏｖｅｒｙ  ｓｉｇｎａｌ」の系列を変えることによって、特定のスモールセルを「Ｓｔａｎｄ-ａｌｏｎｅセル」及び「Ｍａｃｒｏ-ａｓｓｉｓｔｅｄセル」のどちらとしても運用することができる。
【０１２２】
（変更例４）
図１２乃至図１４を参照して、本発明の変更例４に係る移動通信システムについて、上述の第１の実施形態に係る移動通信システムとの相違点に着目して説明する。
【０１２３】
本変更例４に係る移動通信システムでは、スモール無線基地局Ｓｍａｌｌ  ｅＮＢにおける送信部１１１は、図１２及び図１３に示すように、Ｐ-ＢＣＨ（Ｐｈｙｓｉｃａｌ-Ｂｒｏａｄｃａｓｔ  Ｃｈａｎｎｅｌ）を介してＭＩＢを送信するように構成されている。
【０１２４】
かかるＭＩＢは、かかるＭＩＢが送信されているセルが「Ｓｔａｎｄ-ａｌｏｎｅセル」であるか或いは「Ｍａｃｒｏ-ａｓｓｉｓｔｅｄセル」であるかについて通知するための識別子を含むように構成されていてもよい。
【０１２５】
制御部２２は、かかるＭＩＢによる通知内容に基づいて、スモールセルが「Ｓｔａｎｄ-ａｌｏｎｅセル」であるか或いは「Ｍａｃｒｏ-ａｓｓｉｓｔｅｄセル」であるかについて判定するように構成されている。
【０１２６】
ここで、制御部２２は、スモールセルが「Ｓｔａｎｄ-ａｌｏｎｅセル」であると判定した場合には、かかるスモールセルにおけるＳＩＢに基づいて、かかるスモールセルにおける通信を開始するように構成されている、すなわち、「Ｓｔａｎｄ-ａｌｏｎｅセル」におけるコネクション（Ｕ-Ｐｌａｎｅ及びＣ-Ｐｌａｎｅ）を構築するように構成されている。
【０１２７】
一方、制御部２２は、スモールセルが「Ｍａｃｒｏ-ａｓｓｉｓｔｅｄセル」であると判定した場合には、マクロセルからの制御信号に基づいて、かかるスモールセルにおける通信を開始するように構成されている、すなわち、制御部２２は、かかるスモールセルにおけるコネクションを、マクロ無線基地局Ｍａｃｒｏ  ｅＮＢと移動局ＵＥとの間でやり取りされる制御（Ｃ-ｐｌａｎｅ）に基づいて構築するように構成されている。
【０１２８】
以下、図１４を参照して、本変更例４に係る移動局ＵＥの動作について説明する。
【０１２９】
図１４に示すように、移動局ＵＥは、ステップＳ５０１において、スモールセルにおいて、ＰＳＳ/ＳＳＳを検出した後、ＭＩＢを受信し、ステップＳ５０２において、かかるＭＩＢによる通知内容（ＭＩＢに含まれている識別子）に基づいて、スモールセルが「Ｓｔａｎｄ-ａｌｏｎｅセル」であるか或いは「Ｍａｃｒｏ-ａｓｓｉｓｔｅｄセル」であるかについて判定する。
【０１３０】
移動局ＵＥは、スモールセルが「Ｓｔａｎｄ-ａｌｏｎｅセル」であると判定した場合には、ステップＳ５０３において、かかるスモールセルにおけるＳＩＢを受信する。
【０１３１】
この場合、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。
【０１３２】
一方、移動局ＵＥは、スモールセルが「Ｍａｃｒｏ-ａｓｓｉｓｔｅｄセル」であると判定した場合には、ステップＳ４０４において、かかるスモールセルにおけるＳＩＢに相当する制御信号を、マクロ無線基地局Ｍａｃｒｏ  ｅＮＢからの個別の制御信号や報知情報等を介して受信する。
【０１３３】
この場合、もし移動局ＵＥが、かかるスモールセルとのコネクションを構築する場合には、移動局ＵＥは、マクロ無線基地局Ｍａｃｒｏ  ｅＮＢからの個別の制御信号に基づいて、かかるコネクションを構築する。
【０１３４】
かかる個別の制御信号は、ＲＲＣレイヤで通知されてもよいし、ＰＤＣＰレイヤやＲＬＣレイヤやＭＡＣレイヤや物理レイヤ等のいかなるレイヤで通知されてもよい。
【０１３５】
本変更例４に係る移動通信システムによれば、移動局ＵＥが、スモール無線基地局Ｓｍａｌｌ  ｅＮＢから受信したＭＩＢに基づいて、スモールセルが「Ｓｔａｎｄ-ａｌｏｎｅセル」であるか或いは「Ｍａｃｒｏ-ａｓｓｉｓｔｅｄセル」であるかについて判定することができる。
【０１３６】
したがって、スモールセルで送信するＭＩＢの通知内容（識別子）を変えることによって、特定のスモールセルを「Ｓｔａｎｄ-ａｌｏｎｅセル」及び「Ｍａｃｒｏ-ａｓｓｉｓｔｅｄセル」のどちらとしても運用することができる。
【０１３７】
（変更例５）
図１５及び図１６を参照して、本発明の変更例５に係る移動通信システムについて、上述の第１の実施形態に係る移動通信システムとの相違点に着目して説明する。
【０１３８】
本変更例５に係る移動通信システムでは、図１５に示すように、マクロ無線基地局Ｍａｃｒｏ  ｅＮＢにおける送信部３１は、ＳＩＢ５を用いて、かかるＳＩＢ５において通知されている異周波のセル再選択の候補となるセルが「Ｓｔａｎｄ-ａｌｏｎｅセル」であるか或いは「Ｍａｃｒｏ-ａｓｓｉｓｔｅｄセル」であるかについて通知するための情報要素を送信するように構成されている。
【０１３９】
例えば、かかる情報要素は、ＳＩＢ５によって通知される異周波のセル再選択のためのキャリアには「Ｍａｃｒｏ-ａｓｓｉｓｔｅｄセル」のみ存在し「Ｓｔａｎｄ-ａｌｏｎｅセル」が存在しない旨を通知してもよい。かかる場合、かかる情報要素は、「Ｍａｃｒｏ-ａｓｓｉｓｔｅｄセル」に関する情報（例えば、「Ｄｉｓｃｏｖｅｒｙ  ｓｉｇｎａｌ」の無線リソースに関する情報等）を通知してもよい。
【０１４０】
また、かかる情報要素は、ＳＩＢ５によって通知される異周波のセル再選択のためのキャリアには「Ｓｔａｎｄ-ａｌｏｎｅセル」のみが存在する旨を通知してもよい。
【０１４１】
なお、送信部３１は、個別の制御信号、例えば、「Ｍｅａｓｕｒｅｍｅｎｔ  Ｃｏｎｆｉｇｕｒａｔｉｏｎ」によって、かかる情報要素を送信するように構成されていてもよい。
【０１４２】
移動局ＵＥにおける制御部２２は、セル再選択処理（Ｃｅｌｌ  Ｒｅｓｅｌｅｃｔｉｏｎ）を行う対象となるスモールセルにおいて、ＳＩＢ５等によって「Ｓｔａｎｄ-ａｌｏｎｅセル」のみが存在するキャリアであると通知されているか否かについて判定するように構成されている。
【０１４３】
ここで、制御部２２は、ＳＩＢ５によって「Ｓｔａｎｄ-ａｌｏｎｅセル」のみが存在するキャリアであると通知されていると判定した場合には、スモールセルにおいて送信されているＰＳＳ/ＳＳＳを検出した後、かかるセルにおけるＭＩＢ/ＳＩＢを受信する。
【０１４４】
また、制御部２２は、通信を開始する場合には、通常の（従来の）「Ｓｔａｎｄ-ａｌｏｎｅセル」と同様の方法で、かかるスモールセルとのコネクションを構築し、通信を開始するように構成されている、すなわち、「Ｓｔａｎｄ-ａｌｏｎｅセル」におけるコネクション（Ｕ-Ｐｌａｎｅ及びＣ-Ｐｌａｎｅ）を構築するように構成されている。
【０１４５】
一方、制御部２２は、ＳＩＢ５によって『「Ｓｔａｎｄ-ａｌｏｎｅセル」のみが存在するキャリアであると通知されていない』、すなわち、『「Ｍａｃｒｏ-ａｓｓｉｓｔｅｄセル」のみが存在するキャリアであると通知された』と判定した場合には、マクロ無線基地局Ｍａｃｒｏ  ｅＮＢからの個別の制御信号に基づいて、スモールセルにおける通信を開始するように構成されている、すなわち、制御部２２は、かかるスモールセルにおけるコネクションを、マクロ無線基地局Ｍａｃｒｏ  ｅＮＢと移動局ＵＥとの間でやり取りされる制御（Ｃ-ｐｌａｎｅ）に基づいて構築するように構成されている。
【０１４６】
なお、制御部２２は、ＳＩＢ５によって通知された上述の情報要素に基づいて、セル再選択処理や、当該キャリアにおける測定処理を行うように構成されている。
【０１４７】
また、制御部２２は、マクロセルが存在しない場合には、スモールセルが「Ｓｔａｎｄ-ａｌｏｎｅセル」であると判定するように構成されていてもよい。
【０１４８】
上述した例においては、ＳＩＢ５によって、『異周波のセル再選択のためのキャリアには「Ｍａｃｒｏ-ａｓｓｉｓｔｅｄセル」のみが存在する』或いは『「Ｓｔａｎｄ-ａｌｏｎｅセル」のみが存在する』という旨が通知されたが、代わりに、ＳＩＢ５によって、『異周波のセル再選択のためのキャリアには「Ｍａｃｒｏ-ａｓｓｉｓｔｅｄセル」及び「Ｓｔａｎｄ-ａｌｏｎｅセル」が混在する』という旨が通知されてもよい。
【０１４９】
この場合、移動局ＵＥは、ＰＳＳ/ＳＳＳを用いて「Ｓｔａｎｄ-ａｌｏｎｅセル」の検出を行う処理と、マクロ無線基地局Ｍａｃｒｏ  ｅＮＢからの個別の制御信号に基づいた、「Ｍａｃｒｏ-ａｓｓｉｓｔｅｄセル」の検出を行う処理の両方を行ってもよい。
【０１５０】
以下、図１６を参照して、本変更例５に係る移動局ＵＥの動作について説明する。
【０１５１】
図１６に示すように、移動局ＵＥは、ステップＳ６０１において、セル選択処理（Ｃｅｌｌ  Ｓｅｌｅｃｔｉｏｎ）であるか否かについて判定する。
【０１５２】
移動局ＵＥは、セル選択処理であると判定とした場合、ステップＳ６０４において、ＰＳＳ/ＳＳＳを検出することにより、スモールセルを検出した後、ＭＩＢ/ＳＩＢを受信する。
【０１５３】
ここで、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。
【０１５４】
ここで、セル選択処理とは、移動局ＵＥが、どのセルに在圏することもなく、一からセルサーチ（Ｃｅｌｌ  Ｓｅａｒｃｈ）を行い、セルを検出する動作のことを言う。例えば、移動局ＵＥの電源を入れた直後や圏外の場合等に、セル選択処理が行われる。
【０１５５】
一方、移動局ＵＥは、一旦、通信可能なセルを検出すると、当該セルの報知情報を読み、当該セルに在圏する。この後、移動局ＵＥは、移動等に伴い、セル再選択処理を行うことによって、在圏するセルを変更する。
【０１５６】
ここで、セル再選択処理において、移動局ＵＥは、同周波の周辺セルに、セル再選択を行ってもよいし、異周波の周辺セルに、セル再選択を行ってもよい。
【０１５７】
すなわち、移動局ＵＥは、ステップＳ６０１において、「セル選択処理ではない（セル再選択処理である）」と判定した場合、ステップＳ６０２に進む。
【０１５８】
以下の説明では、移動局ＵＥは、ステップＳ６０２において、図１に示す２ＧＨｚ帯のマクロセルに在圏していることとする。
【０１５９】
また、マクロセルのＳＩＢ５により通知されるセル再選択の候補となるキャリアは、図１に示す３.５ＧＨｚにおけるキャリアであることとする。すなわち、かかるセル再選択の候補となるキャリアには、スモールセルが運用されている。
【０１６０】
移動局ＵＥは、マクロ無線基地局Ｍａｃｒｏ  ｅＮＢから送信されるＳＩＢ５を受信し、セル再選択の候補となるセル或いはキャリアについての情報を取得する。
【０１６１】
ここで、移動局ＵＥは、かかる情報により、セル再選択の候補となるキャリアは「Ｓｔａｎｄ-ａｌｏｎｅセル」のみが存在するキャリアであると通知されているか否かについて判定する。
【０１６２】
移動局ＵＥは、セル再選択の候補となるキャリアが「Ｓｔａｎｄ-ａｌｏｎｅセル」のみが存在するキャリアであると通知されていると判定した場合には、ステップＳ６０４において、ＰＳＳ/ＳＳＳを検出した後、ＭＩＢ/ＳＩＢを受信する。
【０１６３】
ここで、もし移動局ＵＥが、かかるスモールセルとのコネクションを構築する場合には、移動局ＵＥは、通常の（従来の）「Ｓｔａｎｄ-ａｌｏｎｅセル」と同様の方法で、かかるコネクションを構築する。  
一方、移動局ＵＥは、セル再選択の候補となるキャリアが「Ｓｔａｎｄ-ａｌｏｎｅセル」のみが存在するキャリアであると通知されていないと判定した場合には、ステップＳ６０３において、かかるキャリアにおけるスモールセルのＭＩＢ/ＳＩＢに相当する制御信号を、マクロセルからの個別の制御信号や報知情報等を介して受信する。
【０１６４】
ここで、もし移動局ＵＥが、かかるスモールセルとのコネクションを構築する場合には、移動局ＵＥは、マクロ無線基地局Ｍａｃｒｏ  ｅＮＢからの個別の制御信号に基づいて、かかるコネクションを構築する。
【０１６５】
本変更例５に係る移動通信システムによれば、移動局ＵＥが、マクロ無線基地局Ｍａｃｒｏ  ｅＮＢから送信されるＳＩＢ５に基づいて、スモールセルが展開されているキャリアのセルが「Ｓｔａｎｄ-ａｌｏｎｅセル」であるか或いは「Ｍａｃｒｏ-ａｓｓｉｓｔｅｄセル」であるかについて判定することができる。
【０１６６】
したがって、マクロ無線基地局Ｍａｃｒｏ  ｅＮＢで送信するＳＩＢ５の通知内容（情報要素子）を変えることによって、特定の「Ｓｍａｌｌセル」を「Ｓｔａｎｄ-ａｌｏｎｅセル」及び「Ｍａｃｒｏ-ａｓｓｉｓｔｅｄセル」のどちらとしても運用することができる。
【０１６７】
なお、上述した例においては、マクロ無線基地局Ｍａｃｒｏ  ｅＮＢが提供するマクロセルと、スモール無線基地局Ｓｍａｌｌ  ｅＮＢが提供する「Ｓｔａｎｄ-ａｌｏｎｅセル」を別の種類のセルであるかのように記載したが、代わりに、マクロ無線基地局Ｍａｃｒｏ  ｅＮＢが提供するマクロセルは、スモール無線基地局Ｓｍａｌｌ  ｅＮＢが提供する「Ｓｔａｎｄ-ａｌｏｎｅセル」と同種類のセルであってもよい。
【０１６８】
この場合、かかるセルは、上述のマクロセルとして動作することもでき、かつ、「Ｓｔａｎｄ-ａｌｏｎｅセル」としてのスモールセルとして動作することも可能となる。
【０１６９】
（変更例６）
図１７を参照して、本発明の変更例６に係る移動通信システムについて、上述の第１の実施形態に係る移動通信システムとの相違点に着目して説明する。
【０１７０】
本変更例６に係る移動通信システムにおいて、スモール無線基地局Ｓｍａｌｌ  ｅＮＢは、マクロ無線基地局Ｍａｃｒｏ  ｅＮＢ配下のマクロセルの運用状況によって、かかるスモールセルを「Ｓｔａｎｄ-ａｌｏｎｅセル」又は「Ｍａｃｒｏ-ａｓｓｉｓｔｅｄセル」のいずれかで運用するように切り替える。
【０１７１】
以下、図１７を参照して、本変更例６に係るスモール無線基地局Ｓｍａｌｌ  ｅＮＢの動作について説明する。
【０１７２】
図１７に示すように、ステップＳ７０１において、スモール無線基地局Ｓｍａｌｌ  ｅＮＢは、マクロ無線基地局Ｍａｃｒｏ  ｅＮＢ配下のマクロセルが運用可能な状況であるか否かについて判定する。
【０１７３】
スモール無線基地局Ｓｍａｌｌ  ｅＮＢは、マクロ無線基地局Ｍａｃｒｏ  ｅＮＢ配下のマクロセルが運用可能な状況であると判定した場合、ステップＳ７０２において、配下のスモールセルを「Ｍａｃｒｏ-ａｓｓｉｓｔｅｄセル」として運用するように切り替える。
【０１７４】
一方、スモール無線基地局Ｓｍａｌｌ  ｅＮＢは、マクロ無線基地局Ｍａｃｒｏ  ｅＮＢ配下のマクロセルが運用可能な状況でないと判定した場合、ステップＳ７０３において、配下のスモールセルを「Ｓｔａｎｄ-ａｌｏｎｅセル」として運用するように切り替える。
【０１７５】
以上に述べた本実施形態の特徴は、以下のように表現されていてもよい。
【０１７６】
本実施形態の第１の特徴は、マクロセルとスモールセルとを具備する移動通信システムで用いられ得る移動局ＵＥであって、スモールセルが、マクロセルと独立して運用可能な「Ｓｔａｎｄ-ａｌｏｎｅセル（第１セル）」、又は、マクロセルと独立して運用不可能な「Ｍａｃｒｏ-ａｓｓｉｓｔｅｄセル（第２セル）」である場合に、スモールセルによって送信されている「Ｄｉｓｃｏｖｅｒｙ  ｓｉｇｎａｌ（所定信号）」を検出するように構成されている受信部２１と、「Ｄｉｓｃｏｖｅｒｙ  ｓｉｇｎａｌ」の系列が「Ｓｔａｎｄ-ａｌｏｎｅセル」用の系列であるか或いは「Ｍａｃｒｏ-ａｓｓｉｓｔｅｄセル」用の系列であるかについて判定するように構成されている制御部２２とを具備しており、制御部２２は、「Ｄｉｓｃｏｖｅｒｙ  ｓｉｇｎａｌ」の系列が「Ｓｔａｎｄ-ａｌｏｎｅセル」用の系列であると判定した場合には、スモールセルにおけるＭＩＢ/ＳＩＢ（報知情報）に基づいて、かかるスモールセルにおける通信を開始するように構成されており、制御部２２は、「Ｄｉｓｃｏｖｅｒｙ  ｓｉｇｎａｌ」の系列が「Ｍａｃｒｏ-ａｓｓｉｓｔｅｄセル」用の系列であると判定した場合には、マクロセルからの制御信号に基づいて、かかるスモールセルにおける通信を開始するように構成されていることを要旨とする。
【０１７７】
本実施形態の第２の特徴は、マクロセルとスモールセルとを具備する移動通信システムで用いられ得る移動局ＵＥであって、スモールセルが、マクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、スモールセルによって送信されているＰＳＳ/ＳＳＳ（同期信号）を検出するように構成されている受信部２１と、ＰＳＳ/ＳＳＳの系列が「Ｓｔａｎｄ-ａｌｏｎｅセル」用の系列であるか或いは「Ｍａｃｒｏ-ａｓｓｉｓｔｅｄセル」用の系列であるかについて判定するように構成されている制御部２２とを具備しており、制御部２２は、ＰＳＳ/ＳＳＳの系列が「Ｓｔａｎｄ-ａｌｏｎｅセル」用の系列であると判定した場合には、スモールセルにおけるＭＩＢ/ＳＩＢに基づいて、かかるスモールセルにおける通信を開始するように構成されており、制御部２２は、ＰＳＳ/ＳＳＳの系列が「Ｍａｃｒｏ-ａｓｓｉｓｔｅｄセル」用の系列であると判定した場合には、マクロセルからの制御信号に基づいて、かかるスモールセルにおける通信を開始するように構成されていることを要旨とする。
【０１７８】
本実施形態の第３の特徴は、マクロセルとスモールセルとを具備する移動通信システムで用いられ得る移動局ＵＥであって、スモールセルが、マクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、スモールセルによって送信されているＰＳＳ/ＳＳＳを検出した後、ＰＳＳ/ＳＳＳのサブフレームと同一或いは周辺のサブフレームで送信されている新しい信号（所定信号）を受信するように構成されている受信部２１と、かかる新しい信号による通知内容に基づいて、スモールセルが「Ｓｔａｎｄ-ａｌｏｎｅセル」であるか或いは「Ｍａｃｒｏ-ａｓｓｉｓｔｅｄセル」であるかについて判定するように構成されている制御部２２とを具備しており、制御部２２は、スモールセルが「Ｓｔａｎｄ-ａｌｏｎｅセル」であると判定した場合には、かかるスモールセルにおけるＭＩＢ/ＳＩＢに基づいて、かかるスモールセルにおける通信を開始するように構成されており、制御部２２は、スモールセルが「Ｍａｃｒｏ-ａｓｓｉｓｔｅｄセル」であると判定した場合には、マクロセルからの制御信号に基づいて、かかるスモールセルにおける通信を開始するように構成されていることを要旨とする。
【０１７９】
本実施形態の第４の特徴は、マクロセルとスモールセルとを具備する移動通信システムで用いられ得る移動局ＵＥであって、スモールセルが、マクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、スモールセルによって送信されているＰＳＳ/ＳＳＳを検出した後、「Ｄｉｓｃｏｖｅｒｙ  ｓｉｇｎａｌ（所定信号）」を受信するように構成されている受信部２１と、「Ｄｉｓｃｏｖｅｒｙ  ｓｉｇｎａｌ」の系列が「Ｓｔａｎｄ-ａｌｏｎｅセル」用の系列であるか或いは「Ｍａｃｒｏ-ａｓｓｉｓｔｅｄセル」用の系列であるかについて判定するように構成されている制御部２２とを具備しており、制御部２２は、「Ｄｉｓｃｏｖｅｒｙ  ｓｉｇｎａｌ」の系列が「Ｓｔａｎｄ-ａｌｏｎｅセル」用の系列であると判定した場合には、スモールセルにおけるＭＩＢ/ＳＩＢに基づいて、かかるスモールセルにおける通信を開始するように構成されており、制御部２２は、「Ｄｉｓｃｏｖｅｒｙ  ｓｉｇｎａｌ」の系列が「Ｍａｃｒｏ-ａｓｓｉｓｔｅｄセル」用の系列であると判定した場合には、マクロセルからの制御信号に基づいて、かかるスモールセルにおける通信を開始するように構成されていることを要旨とする。
【０１８０】
本実施形態の第５の特徴は、マクロセルとスモールセルとを具備する移動通信システムで用いられ得る移動局ＵＥであって、スモールセルが、マクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、スモールセルによって送信されているＭＩＢ（報知情報）を受信するように構成されている受信部２１と、ＭＩＢによる通知内容に基づいて、スモールセルが「Ｓｔａｎｄ-ａｌｏｎｅセル」であるか或いは「Ｍａｃｒｏ-ａｓｓｉｓｔｅｄセル」であるかについて判定するように構成されている制御部２２とを具備しており、制御部２２は、スモールセルが「Ｓｔａｎｄ-ａｌｏｎｅセル」であると判定した場合には、かかるスモールセルにおけるＳＩＢ（残りの報知情報）に基づいて、かかるスモールセルにおける通信を開始するように構成されており、制御部２２は、スモールセルが「Ｍａｃｒｏ-ａｓｓｉｓｔｅｄセル」であると判定した場合には、マクロセルからの制御信号に基づいて、かかるスモールセルにおける通信を開始するように構成されていることを要旨とする。
【０１８１】
本実施形態の第６の特徴は、マクロセルとスモールセルとを具備する移動通信システムで用いられ得る移動局ＵＥであって、スモールセルが、マクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、マクロセルにおいて、ＳＩＢ５（特定の報知情報）によって、セル再選択のためのキャリアが「Ｓｔａｎｄ-ａｌｏｎｅセル」のみが存在するキャリアであると通知されているか否かについて判定するように構成されている制御部２２を具備しており、制御部２２は、ＳＩＢ５によって、セル再選択のためのキャリアが「Ｓｔａｎｄ-ａｌｏｎｅセル」のみが存在するキャリアであると通知されていると判定した場合には、かかるキャリアにおけるセルにセル再選択を行った後、かかるセルにおけるＭＩＢ/ＳＩＢ（報知情報）に基づいて、かかるセルにおける通信を開始するように構成されており、制御部２２は、ＳＩＢ５によって、セル再選択のためのキャリアが「Ｓｔａｎｄ-ａｌｏｎｅセル」のみが存在するキャリアであると通知されていないと判定した場合には、マクロセルからの制御信号に基づいて、かかるキャリアにおけるセルとの通信を開始するように構成されていることを要旨とする。
【０１８２】
本実施形態の第７の特徴は、スモールセルを管理するスモール無線基地局Ｓｍａｌｌ  ｅＮＢであって、配下のスモールセルが、マクロ無線基地局Ｍａｃｒｏ  ｅＮＢ配下のマクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、「Ｄｉｓｃｏｖｅｒｙ  ｓｉｇｎａｌ（所定信号）」を送信するように構成されている送信部１１を具備し、送信部１１は、配下のスモールセルを「Ｓｔａｎｄ-ａｌｏｎｅセル」として運用する場合には、「Ｄｉｓｃｏｖｅｒｙ  ｓｉｇｎａｌ」の系列として「Ｓｔａｎｄ-ａｌｏｎｅセル」用の系列を用い、配下のスモールセルを「Ｍａｃｒｏ-ａｓｓｉｓｔｅｄセル」として運用する場合には、「Ｄｉｓｃｏｖｅｒｙ  ｓｉｇｎａｌ」の系列として「Ｍａｃｒｏ-ａｓｓｉｓｔｅｄセル」用の系列を用いるように構成されていることを要旨とする。
【０１８３】
なお、上述したスモールセルを「Ｍａｃｒｏ-ａｓｓｉｓｔｅｄセル」及び「Ｓｔａｎｄ-ａｌｏｎｅセル」のいずれを用いた運用とするかは、スモール無線基地局Ｓｍａｌｌ  ｅＮＢ或いはマクロ無線基地局Ｍａｃｒｏ  ｅＮＢ或いは両者が協調して周辺セルの状況（無線基地局ｅＮＢの稼働状況やセルの混雑度や移動局ＵＥの在圏数・接続数等）を基に判定され、自動的に「Ｍａｃｒｏ-ａｓｓｉｓｔｅｄセル」及び「Ｓｔａｎｄ-ａｌｏｎｅセル」の切替が行われてもよい。
【０１８４】
また、スモールセルが「Ｓｔａｎｄ-ａｌｏｎｅセル」から「Ｍａｃｒｏ-ａｓｓｉｓｔｅｄセル」へ切替わる際、当該スモールセルに接続していた移動局ＵＥに対して、当該スモールセルからの追い出し処理（他のセルへのハンドオーバーや他ＲＡＴへの遷移や規制制御やＩＤＬＥ遷移）が行われてもよい。
【０１８５】
さらに、「Ｍａｃｒｏ-ａｓｓｉｓｔｅｄセル」及び「Ｓｔａｎｄ-ａｌｏｎｅセル」の切替について、コアネットワーク或いは移動局からの要求が受信されてもよい。
【０１８６】
本実施形態の第８の特徴は、マクロセルとスモールセルとを具備する移動通信システムで用いられ得る移動局ＵＥにおける通信制御方法であって、スモールセルが、マクロセルと独立して運用可能な「Ｓｔａｎｄ-ａｌｏｎｅセル」、又は、マクロセルと独立して運用不可能な「Ｍａｃｒｏ-ａｓｓｉｓｔｅｄセル」である場合に、スモールセルによって送信されている「Ｄｉｓｃｏｖｅｒｙ  ｓｉｇｎａｌ（所定信号）」を検出する第１ステップと、「Ｄｉｓｃｏｖｅｒｙ  ｓｉｇｎａｌ」の系列が「Ｓｔａｎｄ-ａｌｏｎｅセル」用の系列であるか或いは「Ｍａｃｒｏ-ａｓｓｉｓｔｅｄセル」用の系列であるかについて判定する第２ステップと、スモールセルにおける通信を開始する第３ステップとを備え、第２ステップにおいて、「Ｄｉｓｃｏｖｅｒｙ  ｓｉｇｎａｌ」の系列が「Ｓｔａｎｄ-ａｌｏｎｅセル」用の系列であると判定した場合には、第３ステップにおいて、スモールセルにおけるＭＩＢ/ＳＩＢ（報知情報）に基づいて、スモールセルにおける通信を開始し、第２ステップにおいて、「Ｄｉｓｃｏｖｅｒｙ  ｓｉｇｎａｌ」の系列が「Ｍａｃｒｏ-ａｓｓｉｓｔｅｄセル」用の系列であると判定した場合には、第３ステップにおいて、マクロセルからの制御信号に基づいて、スモールセルにおける通信を開始することを要旨とする。
【０１８７】
本実施形態の第９の特徴は、スモールセルを管理するスモール無線基地局Ｓｍａｌｌ  ｅＮＢであって、スモールセルが、マクロ無線基地局Ｍａｃｒｏ  ｅＮＢ配下のマクロセルと独立して運用可能な「Ｓｔａｎｄ-ａｌｏｎｅセル」、又は、該マクロセルと独立して運用不可能な「Ｍａｃｒｏ-ａｓｓｉｓｔｅｄセル」である場合に、マクロセルの運用状況によって、スモールセルを「Ｓｔａｎｄ-ａｌｏｎｅセル」又は「Ｍａｃｒｏ-ａｓｓｉｓｔｅｄセル」のいずれかで運用するように切り替えることを要旨とする。
【０１８８】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【０１８９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１９０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【０１９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１９２】
Ｍａｃｒｏ  ｅＮＢ…マクロ無線基地局
Ｓｍａｌｌ  ｅＮＢ…スモール無線基地局
ＵＥ…移動局
１１１、２３、３１…送信部
１１２、２１、３２…受信部
２２…制御部
【図１】
2014027551.tif 000003
【図２】
2014027551.tif 000004
【図３】
2014027551.tif 000005
【図４】
2014027551.tif 000006
【図５】
2014027551.tif 000007
【図６】
2014027551.tif 000008
【図７】
2014027551.tif 000009
【図８】
2014027551.tif 000010
【図９】
2014027551.tif 000011
【図１０】
2014027551.tif 000012
【図１１】
2014027551.tif 000013
【図１２】
2014027551.tif 000014
【図１３】
2014027551.tif 000015
【図１４】
2014027551.tif 000016
【図１５】
2014027551.tif 000017
【図１６】
2014027551.tif 000018
【図１７】
2014027551.tif 000019